(57)【特許請求の範囲】
【請求項１】
少なくとも、装着者の右頬に当接する右頬部、前記装着者の下唇下方から下顎に当接する第１の下顎部及び前記装着者の左頬に当接する左頬部を有する本体と、
前記本体を顔に装着する装着部とを備え、
前記本体には、前記右頬部、前記第１の下顎部及び前記左頬部から顔の額に向かう上部はなく、開放されている
ことを特徴とする歯科医療用カバー体。
【請求項２】
装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有する本体と、
前記本体を顔に装着する装着部とを備え、
前記本体には、前記右頬部、前記第１の下顎部及び前記左頬部から顔の額に向かう上部はなく、開放されている
ことを特徴とする歯科医療用カバー体。
【請求項３】
少なくとも、装着者の右頬に当接する右頬部、前記装着者の下唇下方から下顎に当接する第１の下顎部及び前記装着者の左頬に当接する左頬部を有する本体と、
前記本体の裏面に設けられ、顔に付着する粘着部とを備え、
前記本体には、前記右頬部、前記第１の下顎部及び前記左頬部から顔の額に向かう上部はなく、開放されている
ことを特徴とする歯科医療用カバー体。
【請求項４】
装着部は、
右頬部と第２の下顎部に接続された右耳掛け部と、
左頬部と第２の下顎部に接続された左耳掛け部とを備えている
ことを特徴とする請求項２記載の歯科医療用カバー体。
【請求項５】
右頬部の下端縁部から第２の下顎部の下端縁部に向かう第１の傾斜縁部と、
左頬部の下端縁部から第２の下顎部の下端縁部に向かう第２の傾斜縁部とを備え、
前記第１の傾斜縁部と前記第２の傾斜縁部とのなす形状は、前記第２の下顎部に向かう方向に先細りに形成されている
ことを特徴とする請求項２記載の歯科医療用カバー体。
【請求項６】
第１の下顎部の上端縁部に前記上端縁部から下方に向かう切り込みが設けられている
ことを特徴とする請求項１又は請求項２又は請求項３記載の歯科医療用カバー体。
【請求項７】
第１の下顎部の厚みを右頬部及び左頬部の厚みより厚くした
ことを特徴とする請求項１又は請求項３記載の歯科医療用カバー体。
【請求項８】
第１の下顎部の厚みを第２の下顎部の厚みより厚くした
ことを特徴とする請求項２記載の歯科医療用カバー体。
【請求項９】
装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有する本体と、
この本体に設けられ、右頬部と第２の下顎部に一体的に接続された右耳掛け部と、
前記本体に設けられ、左頬部と第２の下顎部に一体的に接続された左耳掛け部とを備え、
前記本体は、シート状部材であり、
前記右頬部の右頬右縁部及び前記右頬部の下端縁部と前記右耳掛け部との間に第１のスリットが、
前記左頬部の左頬左縁部及び前記左頬部の下端縁部と前記左耳掛け部との間に第２のスリットが、
それぞれ形成されている
ことを特徴とする歯科医療用カバー体。
【請求項１０】
装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有する本体と、
この本体に設けられ、右頬部と第２の下顎部に一体的に接続された右耳掛け部と、
前記本体に設けられ、左頬部と第２の下顎部に一体的に接続された左耳掛け部とを備え、
前記本体は、シート状部材であり、
前記右頬部の下端縁部と前記右耳掛け部との間に第１のスリットが、
前記左頬部の下端縁部と前記左耳掛け部との間に第２のスリットが、
それぞれ形成されている
ことを特徴とする歯科医療用カバー体。
【発明の詳細な説明】
【技術分野】
【０００１】
本発明は、歯科医療用カバー体に係り、特に、歯科医師等の手指が患者の唇下方に直接接触しないようにして痛みや不快感の軽減を図ると共に、使用勝手を向上させた歯科医療用カバー体に関する。
【背景技術】
【０００２】
歯科医師（又は歯科衛生士）は、手先を安定させるために、患者の顎、頬に手指を接触させて、歯科医療を行っている。そして、治療等の際、患者の顎、頬に歯科医師等の手指が直接接触し、歯科医師等の力が作用すると、時として、患者に痛みや不快感を与える場合がある。
また、水又は薬品の飛散から顔面部を覆う「歯科治療に用いる覆体」がある（特許文献１参照）。
この「歯科治療に用いる覆体」は、顔面の顎部を除いた殆どの部分を被う上部覆体と、顎部及び喉部を被う下部覆体よりなり、上部覆体の下縁中央部分を上唇に沿うように形成し、また下部覆体の上縁中央部分を下唇に沿うように形成し、更に上部覆体及び下部覆体を、前記下縁及び上縁中央部分の両側部分で重ね合わせて連結して構成したものである。
【先行技術文献】
【特許文献】
【０００３】
【特許文献１】実願昭５８−４０１１９号（実開昭５８−４０１１９）公報
【発明の概要】
【発明が解決しようとする課題】
【０００４】
上記特許文献１記載の「歯科治療に用いる覆体」は、口を大きく開いた状態で治療行為等を行う場合には、それ程支障は生じない。
が、しかし、例えば、口を閉じて作業する場合や口を小さく開けて作業する場合、患者の下唇の下方が露出してしまい、露出した部位に歯科医師等の手指が直接接触し、歯科医師等の力が作用すると、時として、患者に痛みや不快感を与える場合がある。
【０００５】
本発明は、上記実情を考慮して、痛みや不快感の軽減を図った歯科医療用カバー体を提供することを目的とする。
【課題を解決するための手段】
【０００６】
請求項１記載の歯科医療用カバー体は、少なくとも、装着者の右頬に当接する右頬部、前記装着者の下唇下方から下顎に当接する第１の下顎部及び前記装着者の左頬に当接する左頬部を有する本体と、前記本体を顔に装着する装着部とを備え、前記本体には、前記右頬部、前記第１の下顎部及び前記左頬部から顔の額に向かう上部はなく、開放されているものである。
【０００７】
また、請求項２記載の歯科医療用カバー体は、装着者の右頬に当接する右頬部、前記装着者の下唇下方から下顎に当接する第１の下顎部、前記装着者の左頬に当接する左頬部及び前記装着者の下顎の裏面側に当接する第２の下顎部を有する本体と、前記本体を顔に装着する装着部とを備え、前記本体には、前記右頬部、前記第１の下顎部及び前記左頬部から顔の額に向かう上部はなく、開放されているものである。
【０００８】
また、請求項３記載の歯科医療用カバー体は、少なくとも、装着者の右頬に当接する右頬部、前記装着者の下唇下方から下顎に当接する下顎部及び前記装着者の左頬に当接する左頬部を有する本体と、前記本体の裏面に設けられ、顔に付着する粘着部とを備え、前記本体には、前記右頬部、前記下顎部及び前記左頬部から顔の額に向かう上部はなく、開放されているものである。
【０００９】
また、請求項４記載の歯科医療用カバー体は、請求項２記載の歯科医療用カバー体において、装着部は、右頬部と第２の下顎部に接続された右耳掛け部と、左頬部と第２の下顎部に接続された左耳掛け部とを備えているものである。
【００１０】
また、請求項５記載の歯科医療用カバー体は、請求項２記載の歯科医療用カバー体において、右頬部の下端縁部から第２の下顎部の下端縁部に向かう第１の傾斜縁部と、左頬部の下端縁部から第２の下顎部の下端縁部に向かう第２の傾斜縁部とを備え、前記第１の傾斜縁部と前記第２の傾斜縁部とのなす形状は、前記第２の下顎部に向かう方向に先細りに形成されているものである。
【００１１】
また、請求項６記載の歯科医療用カバー体は、請求項１又は請求項２又は請求項３記載の歯科医療用カバー体において、第１の下顎部の上端縁部に前記上端縁部から下方に向かう切り込みが設けられているものである。
【００１２】
また、請求項７記載の歯科医療用カバー体は、請求項１又は請求項３記載の歯科医療用カバー体において、第１の下顎部の厚みを第２の下顎部の厚みより厚くしたものである。
【００１３】
また、請求項８記載の歯科医療用カバー体は、請求項２記載の歯科医療用カバー体において、第１の下顎部の厚みを第２の下顎部の厚みより厚くしたものである。
【００１４】
また、請求項９記載の歯科医療用カバー体は、装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有する本体と、この本体に設けられ、右頬部と第２の下顎部に一体的に接続された右耳掛け部と、前記本体に設けられ、左頬部と第２の下顎部に一体的に接続された左耳掛け部とを備え、前記本体は、シート状部材であり、前記右頬部の右頬右縁部及び前記右頬部の下端縁部と前記右耳掛け部との間に第１のスリットが、前記左頬部の左頬左縁部及び前記左頬部の下端縁部と前記左耳掛け部との間に第２のスリットが、それぞれ形成されているものである。
【００１５】
また、請求項１０記載の歯科医療用カバー体は、装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有する本体と、この本体に設けられ、右頬部と第２の下顎部に一体的に接続された右耳掛け部と、前記本体に設けられ、左頬部と第２の下顎部に一体的に接続された左耳掛け部とを備え、前記本体は、シート状部材であり、前記右頬部の下端縁部と前記右耳掛け部との間に第１のスリットが、前記左頬部の下端縁部と前記左耳掛け部との間に第２のスリットが、それぞれ形成されているものである。
【発明の効果】
【００１６】
請求項１記載の歯科医療用カバー体によれば、本体は、少なくとも、装着者の右頬に当接する右頬部、前記装着者の下唇下方から下顎に当接する第１の下顎部及び前記装着者の左頬に当接する左頬部を有するため、歯科医師（又は歯科衛生士）の手指が直接、当接しないようにして、歯科治療を受ける時の患者の下顎、頬に生じる痛みや不快感を軽減することができ、しかも、本体には、装着部が設けられ、顔に安定して保持されると共に、右頬部、第１の下顎部及び左頬部から顔の額に向かう上部はなく、開放されているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手を向上させることができる。
【００１７】
また、請求項２記載の歯科医療用カバー体によれば、本体は、装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有するため、歯科医師（又は歯科衛生士）の手指が直接、当接しないようにして、歯科治療を受ける時の患者の下顎、頬に生じる痛みや不快感を軽減することができ、しかも、本体には、第１の下顎部から前記装着者の下顎の先端を乗り越え前記装着者の下顎の裏面側に当接する第２の下顎部を有するため、より本体を顔に安定して保持することができ、更に、本体には、装着部が設けられ、顔に安定して保持されると共に、右頬部、第１の下顎部及び左頬部から顔の額に向かう上部はなく、開放されているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手を向上させることができる。    
【００１８】
また、請求項３記載の歯科医療用カバー体によれば、本体は、少なくとも、装着者の右頬に当接する右頬部、前記装着者の下唇下方から下顎に当接する下顎部及び前記装着者の左頬に当接する左頬部を有するため、歯科医師（又は歯科衛生士）の手指が直接、当接しないようにして、歯科治療を受ける時の患者の下顎、頬に生じる痛みや不快感を軽減することができ、しかも、本体には、粘着部が設けられ、顔に安定して保持されると共に、右頬部、下顎部及び左頬部から顔の額に向かう上部はなく、開放されているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手をより向上させることができる。
【００１９】
また、請求項４記載の歯科医療用カバー体によれば、上述した請求項２記載の発明の効果に加え、装着部は、右頬部と第２の下顎部に接続された右耳掛け部と、左頬部と第２の下顎部に接続された左耳掛け部とを備えているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手を向上させることができる。
【００２０】
また、請求項５記載の歯科医療用カバー体によれば、上述した請求項２記載の発明の効果に加え、右頬部の下端縁部から第２の下顎部の下端縁部に向かう第１の傾斜縁部と、左頬部の下端縁部から第２の下顎部の下端縁部に向かう第２の傾斜縁部とを備え、前記第１の傾斜縁部と前記第２の傾斜縁部とのなす形状は、前記第２の下顎部に向かう方向に先細りに形成されているため、装着時、第１の傾斜縁部の中途に外方に突出する手で摘む第１の摘み部、第２の傾斜縁部の中途に外方に突出する手で摘む第２の摘み部、がそれぞれ形成され、第１の摘み部、第２の摘み部を手で把持して、装着状態の微調整を図ることができる。
【００２１】
また、請求項６記載の歯科医療用カバー体によれば、上述した請求項１又は請求項２又は請求項３記載の発明の効果に加え、第１の下顎部の上端縁部に前記上端縁部から下方に向かう切り込みが設けられているため、第１の下顎部の上端縁部が当接する装着者の下顎の形状に沿うように変形して、使用勝手をより向上させることができる。
【００２２】
また、請求項７記載の歯科医療用カバー体によれば、上述した請求項１又は請求項３記載の発明の効果に加え、第１の下顎部の厚みを第２の下顎部の厚みより厚くしたため、厚くした分、歯科治療を受ける時の患者の下顎に生じる痛みや不快感をより軽減することができる。
【００２３】
また、請求項８記載の歯科医療用カバー体によれば、上述した請求項２記載の発明の効果に加え、第１の下顎部の厚みを第２の下顎部の厚みより厚くしたため、厚くした分、歯科治療を受ける時の患者の下顎に生じる痛みや不快感をより軽減することができる。
【００２４】
また、請求項９記載の歯科医療用カバー体によれば、本体は、装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有するため、歯科医師（又は歯科衛生士）の手指が直接、当接しないようにして、歯科治療を受ける時の患者の下顎、頬に生じる痛みや不快感を軽減することができ、しかも、本体には、第１の下顎部から前記装着者の下顎の先端を乗り越え前記装着者の下顎の裏面側に当接する第２の下顎部を有するため、より本体を顔に安定して保持することができ、更に、本体には、装着部が設けられ、顔に安定して保持されると共に、右頬部、第１の下顎部及び左頬部から顔の額に向かう上部はなく、開放されているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手を向上させることができ、シート状部材から歯科医療用カバー体を簡易に製作することができる。
【００２５】
また、請求項１０記載の歯科医療用カバー体によれば、本体は、装着者の右頬に当接する右頬部、前記装着者の下唇下方から下顎に当接する第１の下顎部、前記装着者の左頬に当接する左頬部及び前記第１の下顎部から前記装着者の下顎の先端を乗り越え前記装着者の下顎の裏面側に当接する第２の下顎部を有するため、歯科医師（又は歯科衛生士）の手指が直接、当接しないようにして、歯科治療を受ける時の患者の下顎、頬に生じる痛みや不快感を軽減することができ、しかも、本体には、第１の下顎部から前記装着者の下顎の先端を乗り越え前記装着者の下顎の裏面側に当接する第２の下顎部を有するため、より本体を顔に安定して保持することができ、更に、本体には、装着部が設けられ、顔に安定して保持されると共に、右頬部、第１の下顎部及び左頬部から顔の額に向かう上部はなく、開放されているため、歯科治療を受ける時の患者の口の開閉度が変化しても、顎の側方運動又はあらゆる顎運動を行っても、歯科医療用カバー体が移動しにくく、装着者は、歯科医療用カバー体を装着したまま、うがいをしたり会話をすることができ、使用勝手を向上させることができ、シート状部材から歯科医療用カバー体を簡易に製作することができる。
【図面の簡単な説明】
【００２６】
【図１】図１は、本発明の一実施例の歯科医療用カバー体を装着者の側から見た写真である。
【図２】図２は、図１の歯科医療用カバー体を反対側から見た写真である。
【図３】図３は、図１の歯科医療用カバー体の装着状態（口を閉じた状態）の写真である。
【図４】図４は、図１の歯科医療用カバー体の装着状態（口を開いた状態）の写真である。
【図５】図５は、図３を斜めから見た写真である。
【図６】図６は、図４を斜めから見た写真である。
【図７】図７は、図１と異なる他の実施例の歯科医療用カバー体を装着者の側から見た写真である。
【図８】図８は、図７の歯科医療用カバー体の装着状態（口を閉じた状態）の写真である。
【図９】図９は、図７の歯科医療用カバー体の装着状態（口を開いた状態）の写真である。
【図１０】図１０は、図８を斜めから見た写真である。
【図１１】図１１は、図９を斜めから見た写真である。
【図１２】図１２は、図７と異なる他の実施例の歯科医療用カバー体を装着者の側から見た写真である。
【図１３】図１３は、図１２の歯科医療用カバー体を反対側から見た写真である。
【図１４】図１４は、図１２の歯科医療用カバー体の装着状態（口を閉じた状態）の写真である。
【図１５】図１５は、図１２の歯科医療用カバー体の装着状態（口を開いた状態）の写真である。
【図１６】図１６は、図１４を斜めから見た写真である。
【図１７】図１７は、図１５を斜めから見た写真である。
【図１８】図１８は、図１２と異なる他の実施例の歯科医療用カバー体を装着する側と反対の側である表面側から見た写真である。
【図１９】図１９は、図１８と異なる他の実施例の歯科医療用カバー体を装着する側と反対の側である表面側から見た写真である。
【図２０】図２０は、図７と異なる他の実施例の歯科医療用カバー体を装着する側と反対の側である表面側から見た写真である。
【図２１】図２１は、図７と異なる他の実施例の歯科医療用カバー体を装着者の側から見た写真である。
【図２２】図２２は、図２１の歯科医療用カバー体の装着状態（口を閉じた状態）の写真である。
【図２３】図２３は、図２２の歯科医療用カバー体の装着状態（口を開いた状態）の写真である。
【図２４】図２４は、図２２を斜めから見た写真である。
【００２７】
本発明の一実施例の歯科医療用カバー体を図１乃至図６を参照して説明する。
図１及び図２において、１は、歯科医療用カバー体Ｔの本体で、本体１は、装着者の右頬に当接する右頬部１１、装着者の下唇下方から下顎に当接する第１の下顎部１２、装着者の左頬に当接する左頬部１３及び第１の下顎部１２から装着者の下顎の先端を乗り越え装着者の下顎の裏面側に当接する第２の下顎部１４を有する。
【００２８】
本体１の材料は、例えば、不織布、布、紙、ポリプロピレン、シリコンなどの樹脂、ゴム、エラストマー又はこれら前記した材料を適宜組み合わせたものでも良い。
また、図１及び図２に示す２は本体１を顔に装着する装着部である。そして、歯科医療用カバー体Ｔには、図３乃至図６に示すように、右頬部１１、第１の下顎部１２及び左頬部１３から顔の額に向かう上部はなく、開放されている。
【００２９】
従って、上述した歯科医療用カバー体Ｔによれば、本体１は、装着者の右頬に当接する右頬部１１、前記装着者の下唇下方から下顎に当接する第１の下顎部１２、前記装着者の左頬に当接する左頬部１３及び第１の下顎部１２から前記装着者の下顎の先端を乗り越え前記装着者の下顎の裏面側に当接する第２の下顎部１４を有するため、歯科医師（又は歯科衛生士）の手指が直接、当接しないようにして、歯科治療を受ける時の患者の下顎、頬に生じる痛みや不快感を軽減することができ、しかも、本体１には、第１の下顎部１２から前記装着者の下顎の先端を乗り越え前記装着者の下顎の裏面側に当接する第２の下顎部１４を有するため、より本体１を顔に安定して保持することができ、更に、本体１には、装着部２が設けられ、顔に安定して保持されると共に、右頬部１１、第１の下顎部１２及び左頬部１３から顔の額に向かう上部はなく、開放されているため、歯科治療を受ける時の患者の口の開閉度が変化しても、顎の側方運動又はあらゆる顎運動を行っても、歯科医療用カバー体Ｔが移動しにくく、装着者は、歯科医療用カバー体Ｔを装着したまま、うがいをしたり会話をすることができ、使用勝手を向上させることができる。
【００３０】
なお、上述した歯科医療用カバー体Ｔの本体１は、装着者の右頬に当接する右頬部１１、装着者の下唇下方から下顎に当接する第１の下顎部１２、装着者の左頬に当接する左頬部１３及び第１の下顎部１２から装着者の下顎の先端を乗り越え装着者の下顎の裏面側に当接する第２の下顎部１４を有する、
つまり、右頬部１１、第１の下顎部１２、左頬部１３、第２の下顎部１４とは、一体的に形成したが、本願発明にあっては、これに限らず、右頬部１１、第１の下顎部１２、左頬部１３、第２の下顎部１４とを個別に製作し、超音波等により一体化させるようにしても良いし、また、一体的な右頬部１１、第１の下顎部１２及び左頬部１３と、個別の第２の下顎部１４を超音波等により一体化させるようにしても良い。
即ち、本体１は、装着者の右頬に当接する右頬部１１、前記装着者の下唇下方から下顎に当接する第１の下顎部１２、前記装着者の左頬に当接する左頬部１３及び前記装着者の下顎の裏面側に当接する第２の下顎部１４を有するものである。
【００３１】
装着部２は、例えば、図２に示すように、右頬部１１と第２の下顎部１４に接続された右耳掛け部２１と、左頬部１３と第２の下顎部１４に接続された左耳掛け部２２とを備えている。
そのため、図３乃至図６に示すように、歯科治療を受ける時の患者の口の開閉度が変化しても、顎の側方運動又はあらゆる顎運動を行っても、歯科医療用カバー体Ｔが移動しにくく、装着者は、歯科医療用カバー体Ｔを装着したまま、うがいをしたり会話をすることができ、使用勝手を向上させることができる。
なお、装着部２と本体１は、後述（図２１乃至図２４）するが、例えば、不織布を用いて、一体的に製作することもできる。
また、装着部２は、耳掛けに限らず、例えば、耳を通さず、装着者の頭の後ろで結んでも良いし、装着者の頭の後ろでゴムを掛けて装着しても良いし、また、装着部２は、本体１の顔に面する側、即ち、本体１の裏面に設けられ、顔に付着する粘着部としても良い。粘着部としては、後述するが、例えば、複数回の粘着が可能なシリコンゲル系の粘着剤である。
【００３２】
また、図１に示すように、右頬部１１の下端縁部１１ａから第２の下顎部１４の下端縁部１４ａに向かう第１の傾斜縁部Ｋ１と、左頬部１３の下端縁部１３ａから第２の下顎部１４の下端縁部１４ａに向かう第２の傾斜縁部Ｋ２とを備え、第１の傾斜縁部Ｋ１と第２の傾斜縁部Ｋ２とのなす形状は、第２の下顎部１４に向かう方向に先細りに形成されている。
そのため、装着時、図５に示すように、第１の傾斜縁部Ｋ１の中途に外方に突出する手で摘む第１の摘み部１００、第２の傾斜縁部Ｋ２の中途に外方に突出する手で摘む第２の摘み部２００がそれぞれ形成され、第１の摘み部１００、第２の摘み部２００を手で把持して、装着状態の微調整を図ることができる。
【００３３】
本体１を顔に装着する装着部２を粘着剤とした場合（装着部２は、例えば、装着者の下唇下方から下顎に当接する第１の下顎部１２のみ粘着剤が塗布されている。）、図７に示すように、第１の下顎部１２から装着者の下顎の先端を乗り越え前記装着者の下顎の裏面側に当接する第２の下顎部１４は、必ずしも必要ではない［本体１を顔に装着する装着部２を粘着剤とした場合に限らず、例えば、図２０に示すように、歯科医療用カバー体Ｔは、装着者の右頬に当接する右頬部１１、装着者の下唇下方から下顎に当接する下顎部１２（第１の下顎部１２）、装着者の左頬に当接する左頬部１３を有する本体１と、右耳掛け部２１と左耳掛け部２２とを備えた装着部２を有し、本体１には、右頬部１１、下顎部１２（第１の下顎部１２）及び左頬部１３から顔の額に向かう上部はなく、開放されていても良い。］。 
即ち、歯科医療用カバー体Ｔは、装着者の右頬に当接する右頬部１１、装着者の下唇下方から下顎に当接する下顎部１２（第１の下顎部１２）、装着者の左頬に当接する左頬部１３を有する本体１と、本体１の裏面に設けられ、顔に付着する粘着部（図示せず）とを備え、本体１には、右頬部１１、下顎部１２（第１の下顎部１２）及び左頬部１３から顔の額に向かう上部はなく、開放されているものである。
装着部２を粘着剤とした場合の歯科医療用カバー体Ｔにあっても、上述の歯科医療用カバー体Ｔと同様、歯科医師（又は歯科衛生士）の手が直接、当接しないようにして、歯科治療を受ける時の患者の下顎、頬に生じる痛みや不快感を軽減することができ、しかも、本体１には、粘着部２が設けられ、顔に安定して保持されると共に、右頬部１１、下顎部１２（第１の下顎部１２）及び左頬部１３から顔の額に向かう上部はなく、開放されているため、図８乃至図１１に示すように、歯科治療を受ける時の患者の口の開閉度が変化しても、顎の側方運動又はあらゆる顎運動を行っても、歯科医療用カバー体Ｔが移動しにくく、装着者は、歯科医療用カバー体Ｔを装着したまま、うがいをしたり会話をすることができ、使用勝手をより向上させることができる。
【００３４】
また、図１２乃至図１７に示すＳは、第１の下顎部１２の上端縁部に前記上端縁部から下方（例えば、第２の下顎部１４）に向かう切り込みで、この切り込みＳは、第１の下顎部１２の上端縁部が当接する装着者の下顎の形状に沿うように変形して、使用勝手をより向上させることができるものである。
【００３５】
上述した図１乃至図１７記載の本体１の厚みは均一でも良いが、本願発明にあっては、これに限らず、部分的に厚みを厚くしても良い。
即ち、図１８記載の歯科医療用カバー体Ｔは、図１記載の本体１の右頬部１１、第１の下顎部１２、左頬部１３の部位を覆うカバー体Ｃ１である。
つまり、右頬部１１、第１の下顎部１２及び左頬部１３の厚みを第２の下顎部１４の厚みより厚くし、厚くした分、歯科治療を受ける時の患者の下顎、頬に生じる痛みや不快感をより軽減したものである。
また、図１９記載の歯科医療用カバー体Ｔは、図２記載の本体１の第１の下顎部１２の部位を覆うカバー体Ｃ２である。
つまり、第１の下顎部１２の厚みを右頬部１１、左頬部１３及び第２の下顎部１４の厚みより厚くし、厚くした分、歯科治療を受ける時の患者の下顎に生じる痛みや不快感をより軽減したものである。
要するに、第１の下顎部１２の厚みを第２の下顎部１４の厚みより厚くし、厚くした分、歯科治療を受ける時の患者の下顎に生じる痛みや不快感をより軽減したものである。
【００３６】
次に述べる図２１乃至図２４記載の歯科医療用カバー体Ｔは、シート状部材からカットして、部材の無駄を少なくすると共に、超音波等の溶着を不要として装着部を簡易に製作することができるものである。
即ち、本体１は、シート状部材であり、装着者の右頬に当接する右頬部１１、前記装着者の下唇下方から下顎に当接する第１の下顎部１２、前記装着者の左頬に当接する左頬部１３及び第１の下顎部１２から前記装着者の下顎の先端を乗り越え前記装着者の下顎の裏面側に当接する第２の下顎部１４を有する。第１の下顎部１２の上端縁部１２Ａは右頬部１１の上端縁部１１Ａ及び左頬部１３の上端縁部１３Ａより下方に位置する。
また、本体１には、右頬部１１と第２の下顎部１４に一体的に接続された右耳掛け部２１、左頬部１３と第２の下顎部１４に一体的に接続された左耳掛け部２２とを備えている。
図２１に示すＳ1は、右頬部１１の右頬右縁部１１ｂ及び右頬部１１の下端縁部１１ａと右耳掛け部２１との間に形成された隙間である第１のスリットであり、Ｓ２は左頬部１３の左頬左縁部１３ｂ及び左頬部１３の下端縁部１３ａと左耳掛け部２２との間に形成された隙間である第２のスリットである。
従って、図２１乃至図２４記載の歯科医療用カバー体Ｔは、本体１は、装着者の右頬に当接する右頬部１１、前記装着者の下唇下方から下顎に当接する第１の下顎部１２、前記装着者の左頬に当接する左頬部１３及び第１の下顎部１２から前記装着者の下顎の先端を乗り越え（図２２乃至図２４参照）前記装着者の下顎の裏面側に当接する第２の下顎部１４を有するため、歯科医師（又は歯科衛生士）の手指が直接、当接しないようにして、歯科治療を受ける時の患者の下顎、頬に生じる痛みや不快感を軽減することができ、しかも、本体１には、第１の下顎部１２から前記装着者の下顎の先端を乗り越え前記装着者の下顎の裏面側に当接する第２の下顎部１４を有するため、より本体１を顔に安定して保持することができ、更に、本体１には、装着部２が設けられ、顔に安定して保持されると共に、右頬部１１、第１の下顎部１２及び左頬部１３から顔の額に向かう上部はなく、開放されているため、歯科治療を受ける時の患者の口の開閉度が変化しても、顎の側方運動又はあらゆる顎運動を行っても、歯科医療用カバー体Ｔが移動しにくく、装着者は、歯科医療用カバー体Ｔを装着したまま、うがいをしたり会話をすることができ、使用勝手を向上させることができ、また、シート状部材からカット（図２１でカットする部分を言えば、上端縁部１１Ａと上端縁部１３Ａを結ぶ線と上端縁部１２Ａで囲まれた部分、△ＡＢＣ
、△Ａ’Ｂ’Ｃ’）して、部材の無駄を少なくすると共に、超音波等の溶着を不要として装着部２を簡易に製作することができるものである。
【００３７】
なお、上述した図２１乃至図２４記載の歯科医療用カバー体Ｔにあっては、第１のスリットＳ1は、右頬部１１の右頬右縁部１１ｂ及び右頬部１１の下端縁部１１ａと右耳掛け部２１との間に形成された隙間、第２のスリットＳ２は、左頬部１３の左頬左縁部１３ｂ及び左頬部１３の下端縁部１３ａと左耳掛け部２２との間に形成された隙間としたが、場合により、図示しないが、第１のスリットＳ1は、右頬部１１の下端縁部１１ａと右耳掛け部２１との間に形成された隙間、第２のスリットＳ２は、左頬部１３の下端縁部１３ａと左耳掛け部２２との間に形成された隙間としても良い。
【符号の説明】
【００３８】
Ｔ      歯科医療用カバー体
１      本体
２      装着部
１１    右頬部
１２    第１の下顎部
１３    左頬部
１４    第２の下顎部
【要約】
【課題】
本発明の目的は、歯科医師等の手指が患者に直接接触しないようにして痛みや不快感の軽減を図ると共に、使用勝手を向上させた歯科医療用カバー体を提供するものである。
【解決手段】
歯科医療用カバー体Ｔは、装着者の右頬に当接する右頬部１１、前記装着者の下唇下方から下顎に当接する第１の下顎部１２、前記装着者の左頬に当接する左頬部１３及び前記装着者の下顎の裏面側に当接する第２の下顎部を有する本体１と、本体１を顔に装着する装着部２とを備え、本体１には、右頬部１１、第１の下顎部１２及び左頬部１３から顔の額に向かう上部はなく、開放されているものである。
【選択図】図１【図１】
0006001803.tif 000002
【図２】
0006001803.tif 000003
【図３】
0006001803.tif 000004
【図４】
0006001803.tif 000005
【図５】
0006001803.tif 000006
【図６】
0006001803.tif 000007
【図７】
0006001803.tif 000008
【図８】
0006001803.tif 000009
【図９】
0006001803.tif 000010
【図１０】
0006001803.tif 000011
【図１１】
0006001803.tif 000012
【図１２】
0006001803.tif 000013
【図１３】
0006001803.tif 000014
【図１４】
0006001803.tif 000015
【図１５】
0006001803.tif 000016
【図１６】
0006001803.tif 000017
【図１７】
0006001803.tif 000018
【図１８】
0006001803.tif 000019
【図１９】
0006001803.tif 000020
【図２０】
0006001803.tif 000021
【図２１】
0006001803.tif 000022
【図２２】
0006001803.tif 000023
【図２３】
0006001803.tif 000024
【図２４】
0006001803.tif 000025